Podtech/llm-jp-corpus-v4-ja_patent huggingface dataset:
【手続補正書】
【提出日】平成28年9月21日(2016.9.21)
【手続補正１】
【補正対象書類名】明細書
【補正対象項目名】００５１
【補正方法】変更
【補正の内容】
【００５１】
個々のエナンチオマーの製造／単離のための慣用的な技術としては、適当な光学的に純粋な前駆体からのキラル合成または、例えばキラル高圧液体クロマトグラフィー(ＨＰＬＣ)を用いたラセミ体の分割が挙げられる。あるいは、ラセミ体(またはラセミ前駆体)を適当な光学活性化合物、例えば、アルコールと反応させるか、または、該化合物が酸性もしくは塩基性部分を含む場合、酸または塩基、例えば酒石酸または1−フェニルエチルアミンと反応させてよい。生じたジアステレオ異性体混合物は、クロマトグラフィーおよび／または分別結晶法により分離し、ジアステレオ異性体のうちの１つまたは両方を、当業者によく知られた方法により、相当する純粋なエナンチオマーに変換してもよい。本発明のキラル化合物(およびそのキラル前駆体)は、クロマトグラフィー、典型的には炭化水素、典型的にはヘプタンまたはヘキサンからなる、0〜50%、典型的には2〜20%のイソプロパノールおよび0〜5%のアルキルアミン、典型的には0.1%のジエチルアミンを含む移動相を用いた、非対称樹脂上のＨＰＬＣを用いて、鏡像異性体的に富んだ形態で得てよい。溶出物の濃縮により、富化混合物が得られる。立体異性体の集合体は、当業者には公知の慣用的な技術により分離してよい。例えば、"Stereochemistry of Organic Compounds" (Ernest L. Eliel (Wiley, New York, 1994))を参照のこと。
【手続補正２】
【補正対象書類名】明細書
【補正対象項目名】０８６４
【補正方法】変更
【補正の内容】
【０８６４】
複数用量吸入器は、予め計量した量の、粉末製剤を含まない。それらは、比較的大きい容器と、患者が操作しなければならない、用量を計量する仕組みからなる。該容器は、容積測定置換により、大量の粉末から個々に単離される複数の用量を有する。回転可能な膜(例えばEP 0069715) またはディスク(例えばGB 2041763; EP 0424790; DE 4239402およびEP 0674533)、回転可能なシリンダー (例えばEP 0166294; GB 2165159およびWO 92/09322) および回転可能な円錐台形構造 (例えばWO 92/00771)を含む、種々の用量計量用の仕組みが存在し、これらは全て、容器からの粉末で満たさなければならない空洞を有する。他の複数用量デバイスとしては、容器から特定の体積の粉末を、送達チャンバーまたは空気路に移すための、局所的なまたは周囲に凹部を持つ測定スライド（例えば、US 52010308およびWO 92/00771）または測定プランジャーを持つ (例えばEP 0505321、WO 92/04068およびWO 92/04928)か、または測定スライドを持つもの、例えば、Genuair(登録商標) （以前はNovolizer SD2FLとして知られている、WO 97/000703、WO 03/000325およびWO 2006/008027に記載）がある。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
咳の治療を必要とする患者において該治療を行う方法に用いるための医薬組成物であって、オロダテロール又はその医薬的に許容され得る塩を含む、医薬組成物。
【請求項２】
オロダテロールの医薬的に活性な塩を含む、請求項1に記載の医薬組成物。
【請求項３】
オロダテロール塩酸塩を含む、請求項2に記載の医薬組成物。
【請求項４】
オロダテロール塩酸塩が0.01から50μgまでの投薬量で投与される、請求項3に記載の医薬組成物。
【請求項５】
オロダテロール塩酸塩が1日1回、吸入投薬量で投与される、請求項4に記載の医薬組成物。
【請求項６】
方法がチオトロピウム塩の同時投与を含む、請求項1〜5のいずれか1項に記載の医薬組成物。
【請求項７】
チオトロピウム塩がチオトロピウム臭化物である、請求項6に記載の医薬組成物。
【請求項８】
チオトロピウム臭化物が1から50μgまでの投薬量で投与される、請求項7に記載の医薬組成物。
【請求項９】
チオトロピウム臭化物が1日1回、吸入投薬量で投与される、請求項8に記載の医薬組成物。
【請求項１０】
オロダテロール又はその医薬的に活性な塩及びチオトロピウム塩を含む医薬組成物。
【請求項１１】
オロダテロールの医薬的に活性な塩を含む、請求項10に記載の医薬組成物。
【請求項１２】
オロダテロール塩酸塩及びチオトロピウム臭化物を含む、請求項10に記載の医薬組成物。
【請求項１３】
吸入投与される、請求項10〜12のいずれか1項に記載の医薬組成物。
【請求項１４】
咳の治療を必要とする患者において該治療を行うための医薬を製造するための、オロダテロール又はその医薬的に許容され得る塩の使用。
【請求項１５】
オロダテロール又はその医薬的に許容され得る塩の前記投与が、前記患者において依存症又は不整脈を引き起こさない、請求項1に記載の医薬組成物。
【請求項１６】
患者の心拍数が増加しない、請求項1又は15に記載の医薬組成物。
【請求項１７】
5μgのオロダテロール又は5μgのオロダテロールに等価な量の医薬的に許容され得る塩が患者に投与される、請求項1又は15に記載の医薬組成物。
【請求項１８】
オロダテロールが、各々2.7μgのオロダテロール塩酸塩の2回の作動によって患者に投与される、請求項16に記載の医薬組成物。
【請求項１９】
2.5μgのオロダテロール又は2.5μgのオロダテロールに等価な量のオロダテロールの医薬的に許容され得る塩が患者に投与される、請求項1又は15に記載の医薬組成物。
【請求項２０】
オロダテロールが、2.7μgのオロダテロール塩酸塩の1回の作動によって患者に投与される、請求項18に記載の医薬組成物。
【請求項２１】
オロダテロールが、各々1.35μgのオロダテロール塩酸塩の2回の作動によって患者に投与される、請求項18に記載の医薬組成物。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
コアとシースを備えるストランドと交互になったストライプを含むフィルムであって、該コアは、該シース及び該ストライプのどちらよりも弾性が高い、フィルム。
【請求項２】
前記ストライプは、前記ストライプの厚さ全体を通して見られる第１のポリマー組成物から作製される、請求項１に記載のフィルム。
【請求項３】
前記シースは、前記フィルムの少なくとも一方の主表面の一部を形成する、請求項１又は２に記載のフィルム。
【請求項４】
前記ストライプは、第１のポリマー組成物から作製され、前記コアは、第３のポリマー組成物から作製され、前記シースは、該第１のポリマー組成物及び該第３のポリマー組成物とは異なる第２のポリマー組成物から作製される、請求項１〜３のいずれか一項に記載のフィルム。
【請求項５】
繊維性キャリアに接合された、請求項１〜４のいずれか一項に記載のフィルムを含む、積層体。
【請求項６】
交互になったストライプとストランドを含むフィルムであって、該ストランドの少なくとも一部は、該ストライプよりも弾性が高く、該フィルムは、少なくとも７５パーセントの伸びを有し、該ストランドの幅は、１００マイクロメートル〜７５０マイクロメートルの範囲にあり、それぞれのストランドの一部分は、該フィルムの少なくとも一方の主表面の一部を形成する、フィルム。
【請求項７】
第１のキャビティと、第２のキャビティと、第３のキャビティと、分配スロットを有する分配表面と、該第１、第２及び第３のキャビティと該分配スロットとの間の流体通路と、を少なくとも備える、押し出しダイであって、該流体通路は、該第１のキャビティから該分配スロットへ延びる第１の流体通路と、該第３のキャビティから該分配スロットへ延びる第３の流体通路と、該第２のキャビティから該分配スロットへ延び、該第３の流体通路の両側にある少なくとも２つの第２の流体通路と、を含み、該第２の通路のそれぞれは、該第３の通路が該分配スロットに入る箇所において、該第３の通路よりも大きな寸法を有する、押し出しダイ。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
ある形態の多発性硬化症に罹患し、または臨床的に摘出された症候群を呈するヒト被験者における視床損傷を阻止または低減するための、有効量のラキニモドを含有する経口医薬組成物であって、好ましくは、前記形態の多発性硬化症は、再発−寛解型の多発性硬化症または進行性形態の多発性硬化症である経口医薬組成物。
【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
結晶性（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の形態ＨＣｌ：ＳＡ−１であって、図１に示される粉末Ｘ−線回折パターンと実質的に一致するパターンで特徴付けられる、形態ＨＣｌ：ＳＡ−１。
【請求項２】
２θ値（ＣｕＫα  λ＝１.５４１８Å）：６.０、８.３、８.７、１２.３、１６.２、１６.７、１７.５、１９.９および２０.４のうちの４個以上の値を含む、粉末Ｘ線回折パターンを有する、請求項１に記載の形態ＨＣｌ：ＳＡ−１。
【請求項３】
結晶性（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の形態ＨＣｌ：ＳＡ−１であって、以下の：
ａ＝８．３７４６（２）Å
ｂ＝２０．２２３６（５）Å
ｃ＝２１．３０９９（６）Å
α＝９０°
β＝９０°
γ＝９０°
空間群：Ｐ２（１）２（１）２（１）
分子／非対称単位：１
（ここで、結晶形の測定は約２３℃の温度でなされる）
で示される格子寸法と実質的に等しい単位格子パラメータで特徴付けられる、形態ＨＣｌ：ＳＡ−１。
【請求項４】
実質的に、表２に列挙される原子のフラクショナル座標により特徴付けられる、請求項３に記載の形態ＨＣｌ：ＳＡ−１。
【請求項５】
結晶性（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の形態ＨＣｌ：ＳＡ−１であって、実質的に表４に列挙される単位格子パラメータによって特徴付けられる、形態ＨＣｌ：ＳＡ−１。
【請求項６】
結晶性（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の形態Ｈ．５−１であって、図２に示される粉末Ｘ線回折パターンと実質的に一致するパターンで特徴付けられる、形態Ｈ．５−１。
【請求項７】
２θ値（ＣｕＫα  λ＝１.５４１８Å）：５.９、７.２、１２.０、１５.７、１７.２、１８.９、２０.３、２４.２および２６.１のうちの４個以上の値を含む、粉末Ｘ線回折パターンを有する、請求項６に記載の形態Ｈ．５−１。
【請求項８】
結晶性（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の形態Ｈ．５−１であって、以下の：
ａ＝１３．６５４７（３）Å
ｂ＝１８．７５９０（３）Å
ｃ＝２４．７３７０（５）Å
α＝９０°
β＝９０°
γ＝９０°
空間群：Ｉ２（１）２（１）２（１）
分子／非対称単位：１
密度（計算値）：１．４０１Ｍｇ／ｍ３
（ここで、結晶形は約２３℃の温度で測定される）
で示される格子寸法と実質的に等しい単位格子パラメータで特徴付けられる、形態Ｈ．５−１。
【請求項９】
実質的に、表１に列挙される原子のフラクショナル座標により特徴付けられる、請求項８に記載の形態Ｈ．５−１。
【請求項１０】
結晶性（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の形態Ｐ１３であって、図３に示される粉末Ｘ線回折パターンと実質的に一致するパターンで特徴付けられる、形態Ｐ１３。
【請求項１１】
２θ値（ＣｕＫα  λ＝１.５４１８Å）：８.４、８.９、１２.７および１７.９の４個以上の値を含む、粉末Ｘ線回折パターンを有する、請求項１０に記載の形態Ｐ１３。
【請求項１２】
実質的に純粋な形態である、請求項１、６または１０のいずれかに記載の形態。
【請求項１３】
純度が実質的に９０％よりも大きい、請求項１２に記載の形態。
【請求項１４】
治療上の有効量の（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の結晶形Ｈ．５−１、および医薬的に許容される担体を含む、医薬組成物。
【請求項１５】
治療上の有効量の（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の結晶形Ｐ１３、および医薬的に許容される担体を含む、医薬組成物。
【請求項１６】
治療上の有効量の（Ｓ，Ｅ）−４−（２−（３−（３−クロロ−２−フルオロ−６−（１Ｈ−テトラゾール−１−イル）フェニル）アクリロイル）−５−（４−メチル−２−オキソピペラジン−１−イル）−１，２，３，４−テトラヒドロイソキノリン−１−カルボキサミド）安息香酸の結晶形ＨＣｌ：ＳＡ−１、および医薬的に許容される担体を含む、医薬組成物。
【請求項１７】
血栓塞栓性障害を治療するための、請求項１４−１６のいずれか１項に記載の医薬組成物。
【請求項１８】
血栓塞栓性障害が、動脈心血管血栓塞栓性障害、静脈心血管血栓塞栓性障害、および心室における血栓塞栓性障害からなる群より選択される、請求項１７に記載の医薬組成物。
【請求項１９】
血栓塞栓性障害が、不安定狭心症、急性冠症候群、心房細動、原発性心筋梗塞、再発性心筋梗塞、虚血性突然死、一過性虚血性発作、脳卒中、アテローム性動脈硬化症、末梢閉塞性動脈症、静脈血栓症、深部静脈血栓症、血栓静脈炎、動脈塞栓症、冠動脈性血栓症、脳動脈血栓症、脳塞栓症、腎塞栓症、肺塞栓症、および（ａ）人工弁または他のインプラントに、（ｂ）留置カテーテルに、（ｃ）ステントに、（ｄ）心肺バイパスに、（ｅ）血液透析に、または（ｆ）血栓症を促進する人工物の表面に血液を暴露する他の操作に起因する血栓症より選択される、請求項１７に記載の医薬組成物。
【請求項２０】
化合物（Ｉ）を、アセトン、メタノール、エタノール、ＣＨ２Ｃｌ２、ＤＭＦ、ＮＭＰ、ＭＥＫ、２−ＢｕＯＨ、ＩＰＡ、ＩｐＯＡｃ、ＭＴＢＥ、ＥｔＯＡｃおよびＢｕＯＡｃより選択される溶媒にスラリーさせる工程を含む、化合物（Ｉ）の結晶形の調製方法。
【手続補正書】
【提出日】平成28年9月23日(2016.9.23)
【手続補正１】
【補正対象書類名】明細書
【補正対象項目名】００１９
【補正方法】変更
【補正の内容】
【００１９】
いくつかの実施形態では、割り送り式インライン基板処理ツール１００の第１の端部１１４にロードモジュール１０４を配置することができ、割り送り式インライン基板処理ツール１００の第２の端部１１６にアンロードモジュール１０６を配置することができる。存在するとき、ロードモジュール１０４およびアンロードモジュール１０６はそれぞれ、割り送り式インライン基板処理ツール１００に基板を提供することができ、割り送り式インライン基板処理ツール１００から基板を取り出すことを容易にすることができる。いくつかの実施形態では、ロードモジュール１０４およびアンロードモジュール１０６は、割り送り式インライン基板処理ツール１００の外側の大気圧状態から割り送り式インライン基板処理ツール１００内の状態（真空圧を含むことができる）への基板の移送を容易にするために、大気圧関数まで再び下げる真空ポンプを設けることができる。いくつかの実施形態では、１つまたは複数の基板キャリア移送ロボットを利用して、ロードモジュール１０４およびアンロードモジュール１０６に基板キャリアを提供し、またロードモジュール１０４およびアンロードモジュール１０６から基板キャリアを取り出すことができ、それによって割り送り式インライン基板処理ツール１００との間で基板キャリアの自動化されたローディングおよびアンローディングを提供することができる。
【手続補正２】
【補正対象書類名】明細書
【補正対象項目名】００２１
【補正方法】変更
【補正の内容】
【００２１】
いくつかの実施形態では、ロードモジュール１０４とアンロードモジュール１０６との間に洗浄モジュール１１０を配置することができる。存在するとき、洗浄モジュール１１０は、割り送り式インライン基板処理ツール１００に後で通すための別の１つまたは複数の基板を受け取るために、基板キャリアを洗浄および／または準備することができる（復路の矢印１０８によって示す）。したがって、基板キャリアは、複数回再利用することができる。
【手続補正３】
【補正対象書類名】明細書
【補正対象項目名】００２２
【補正方法】変更
【補正の内容】
【００２２】
図２は、モジュール１０２Ｄなどのモジュールの例示的な構成の横断面図を示し、このモジュールは、上記の複数のモジュール１１２のうちの１つまたは複数のモジュールとして使用することができ、いくつかの実施形態では、基板上に材料を堆積させるように構成されたモジュールとして使用することができる。以下では特有のモジュール（１０２Ｄ）の点から概して論じるが、以下の議論は概して、堆積プロセスだけに特に必要とされる構成要素および／または構成を除いて、すべてのモジュールに当てはまる。
【手続補正書】
【提出日】平成28年8月5日(2016.8.5)
【手続補正１】
【補正対象書類名】特許請求の範囲
【補正対象項目名】全文
【補正方法】変更
【補正の内容】
【特許請求の範囲】
【請求項１】
組成物中のアミド官能基の全モル数に対して、１０ｍｏｌ％から１００ｍｏｌ％の第３級アミド官能基を含むことを特徴とする、アクリロニトリル系エラストマー基材に熱接着されるポリアミド組成物。
【請求項２】
第３級アミド官能基が、第２級アミン官能基を含有する少なくとも１種の脂肪族および／または脂環式化合物に由来する、請求項１に記載の組成物。
【請求項３】
組成物中のポリアミドの全モル数に対して、１０ｍｏｌ％から１００ｍｏｌ％の、Ｐｉｐ．９、Ｐｉｐ．１０、Ｐｉｐ．１２、Ｐｉｐ．１４、Ｐｉｐ．１８、Ｐｉｐ．３６、ＡＥＰ．６、ＡＥＰ．９、ＡＥＰ．１０、ＡＥＰ．１２、ＡＥＰ．１４、ＡＥＰ．１８、ＡＥＰ．３６およびこれらの混合物から選択される少なくとも１種のモノマーを含む、請求項１および２のいずれかに記載の組成物。
【請求項４】
ＰＡ  Ｐｉｐ．９／Ｐｉｐ．１２／１１、ＰＡ６／Ｐｉｐ．１２／１２、ＰＡ６．１０／Ｐｉｐ．１０／Ｐｉｐ．１２、ＰＡ  Ｐｉｐ．１２／１２、ＰＡ  Ｐｉｐ．１０／１２、ＰＡ  Ｐｉｐ．１０／１１／Ｐｉｐ．９およびこれらの混合物から選択される少なくとも１種のコポリアミドを含むことを特徴とする、請求項１から３のいずれか一項に記載の組成物。
【請求項５】
請求項１から４のいずれか一項に記載の組成物であって、下記のモノマー：４．６、４．Ｔ、５．４、５．９、５．１０、５．１２、５．１３、５．１４、５．１６、５．１８、５．３６、６、６．４、６．９、６．１０、６．１２、６．１３、６．１４、６．１６、６．１８、６．３６、６．Ｔ、９、１０．４、１０．９、１０．１０、１０．１２、１０．１３、１０．１４、１０．１６、１０．１８、１０．３６、１０．Ｔ、１１、１２、１２．４、１２．９、１２．１０、１２．１２、１２．１３、１２．１４、１２．１６、１２．１８、１２．３６、１２．Ｔおよび合金またはコポリアミド形態のこれらの混合物の少なくとも１種をさらに含むことを特徴とする、組成物。
【請求項６】
フィルム、粉末、繊維状、織られた格子または不織ウェブ、顆粒または成形品およびこれらの形態の混合物であることを特徴とする、請求項１から５のいずれか一項に記載の組成物。
【請求項７】
請求項１から６のいずれか一項に従った組成物の使用を含むことを特徴とする、アクリロニトリル系エラストマー基材Ｓ１に接着する方法。
【請求項８】
アクリロニトリル系エラストマー基材Ｓ１が、少なくとも１種のブタジエン−アクリロニトリルコポリマー（ＮＢＲ）を含む、請求項７に記載の方法。
【請求項９】
基材Ｓ１が、少なくとも１種の他のアクリロニトリル非含有エラストマーをさらに含む、請求項７および８のいずれかに記載の方法。
【請求項１０】
基材Ｓ１が、下記の原料：粉状物（ｐｕｌｖｅｒｕｌｅｎｔ）、充填剤、可塑剤、架橋剤、加硫活性剤、加硫促進剤の少なくとも１種をさらに含む、請求項７から９のいずれか一項に記載の方法。
【請求項１１】
基材Ｓ１が、Ｓ１の全重量に対して５重量％から９５重量％の、請求項１から６のいずれか一項に従った組成物をさらに含む、請求項７から１０のいずれか一項に記載の方法。
【請求項１２】
基材Ｓ１および／またはポリアミド組成物に実施される以下の変換：熱接合、押出し、被覆、射出成形、成形、熱成形、カレンダリングおよび／またはプレス加工の少なくとも１つを含むことを特徴とする、請求項７から１１のいずれか一項に記載の方法。
【請求項１３】
２つの基材Ｓ１およびＳ２を組み立てるための、請求項７から１２のいずれか一項に記載の方法であって、
液体形態の組成物を、２つの基材の少なくとも１つの表面に塗布するステップ、
組み立てられる基材の表面を、互いに合わせるステップ、
２つの基材Ｓ１およびＳ２が互いに接着する積層体が得られるように、合体からもたらされる組立て品を冷却または乾燥するステップ、
を含むことを特徴とする、方法。
【請求項１４】
２つの基材Ｓ１およびＳ２を組み立てるための、請求項７から１２のいずれか一項に記載の方法であって、
固体形態の組成物を、組み立てられる２つの基材Ｓ１およびＳ２の間に配置するステップ、
組成物の融点に近い温度に、接触を維持されたＳ１およびＳ２の間の少なくとも境界面を加熱し、該組成物を溶融させるステップ、
２つの基材Ｓ１およびＳ２が互いに接着する積層体が得られるように、冷却するステップ、
を含むことを特徴とする、方法。
【請求項１５】
２つの基材Ｓ１およびＳ２を組み立てるための、請求項１１に記載の方法であって、
組み立てられる基材Ｓ１およびＳ２の表面を互いに合わせるステップ、
基材Ｓ１の融点に近い温度に、２つの基材Ｓ１およびＳ２の間にこのように形成された少なくとも接触領域を加熱するステップ、
少なくとも前記接触領域を、２つの基材Ｓ１およびＳ２が互いに接着する積層体を得るように、冷却するステップ、
を含むことを特徴とする、方法。
【請求項１６】
基材Ｓ１の材料および基材Ｓ２の材料が、同じ性質である、請求項７から１４のいずれか一項に記載の方法。
【請求項１７】
基材Ｓ１の材料および基材Ｓ２の材料が異なる性質であり、Ｓ２が、熱可塑性ポリマー、エラストマー熱可塑性ポリマー（ＥＴＰ）、ホモポリマーおよびコポリマー；天然または合成繊維；グラスファイバーまたはカーボンファイバー；ならびにこれらの繊維から作られる織物材料および生地；ならびにさらに金属、革、紙および厚紙；官能化された極性基材；ならびにこれらの混合物から選択される、請求項７から１５のいずれか一項に記載の方法。
【請求項１８】
請求項７から１７のいずれか一項に記載の方法であって、
接合前に、基材Ｓ１および／またはＳ２の少なくとも１つの接合される表面を洗浄または研磨するステップ、
基材Ｓ１およびＳ２の全体を、組成物の融点より高い温度において加熱しながら、プレスするステップ、および／または
基材Ｓ１およびＳ２の全体を、組成物の融点より低い温度において、加熱せずにプレスするステップ、
の少なくとも１つをさらに含む、方法。
【請求項１９】
いずれの溶剤も使用しないことを特徴とする、請求項７から１７のいずれか一項に記載の方法。
【請求項２０】
アクリロニトリル系エラストマー基材Ｓ１およびＳ１に接着する、請求項１から６のいずれか一項に従った組成物を含む積層体。
【請求項２１】
第１のアクリロニトリル系基材Ｓ１および請求項１から６のいずれか一項に記載の組成物によりＳ１に接着する第２の基材Ｓ２を含む積層体。
【請求項２２】
アクリロニトリル系エラストマー基材Ｓ１のための接着促進剤としての請求項１から６のいずれか一項に記載の組成物の使用であり、前記接着促進剤が、促進剤中のアミド官能基の全モル数に対して、５０ｍｏｌ％から１００ｍｏｌ％の第３級アミド官能基を含む使用。
【請求項２３】
接着促進剤が、即時使用のホットメルト接着剤を形成する、請求項２２に記載の使用。
【請求項２４】
接着促進剤が、基材Ｓ１の組成物に直接組み込まれる、請求項２２に記載の使用。
【請求項２５】
物品の重量に対して、５重量％から９５重量％の請求項１から６のいずれか一項に記載の組成物を含むことを特徴とする、アクリロニトリル系エラストマー物品。
【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
鉱物油の移動を少なくとも最小限に抑えるように、紙製食品包装において鉱物油を固定化する方法であって、
リグニンと鉱物油とを含む製紙用パルプを形成することと、
前記製紙用パルプに、少なくとも1つの銅含有オキシダーゼ酵素を、該製紙用パルプ中の前記リグニンの少なくとも幾らかの重合を引き起こすのに十分な量で添加することであって、それによって処理パルプを形成することと、
前記処理パルプから紙製食品包装を形成することと、
を含み、前記紙製食品包装が、実質的に同じ製紙用パルプから形成されるものの前記銅含有オキシダーゼ酵素を添加していない紙製食品包装により示されると考えられるものよりも少ない、食品中への前記鉱物油の移動を示す、紙製食品包装において鉱物油を固定化する方法。
【請求項２】
前記銅含有オキシダーゼ酵素を添加する前に、リグノスルホネートを前記製紙用パルプに添加することを更に含む、請求項1に記載の方法。
【請求項３】
前記少なくとも1つの銅含有オキシダーゼ酵素がラッカーゼ酵素を含む、請求項1に記載の方法。
【請求項４】
前記製紙用パルプがC10〜C25鉱物油を含む、請求項1に記載の方法。
【請求項５】
前記製紙用パルプが、新聞古紙（ONP）、段ボール古紙（OCC）又は両方を含む、請求項1に記載の方法。
【請求項６】
前記銅含有オキシダーゼ酵素を添加する前に、前記製紙用パルプを水で希釈して、該製紙用パルプの全重量ベースで0.2重量%固形分〜20重量%固形分の稠度とする、請求項1に記載の方法。
【請求項７】
前記添加することが、前記処理パルプにより前記紙製食品包装を形成する前に、前記銅含有オキシダーゼ酵素を前記製紙用パルプと混合することであって、それによって混合物を形成することと、前記混合物の温度を40℃以上の温度に少なくとも30分間維持することとを含む、請求項1に記載の方法。
に記載の方法。
【請求項８】
前記紙製食品包装で食品を包装することを更に含み、前記食品の包装は1日目に行い、前記方法が、前記紙製食品包装に、1日目の少なくとも10日後とする日付のついたラベルを表示することを更に含む、請求項1に記載の方法。
【請求項９】
請求項１〜８のいずれか一に記載の方法によって調製された紙製食品包装。
【請求項１０】
前記紙製食品包装によって、前記紙製食品包装に入れた食品又は食料品が、該食品又は食料品中、0.6 mg/kg以下のMOSHを有すること、及び／又は0.15 mg/kg以下のMOAHを有することが可能となる、請求項1に記載の方法。
【請求項１１】
紙繊維と鉱物油とを含む紙製品であって、0.5 mg/dm3以下のMOSHの移動及び／又は0.2 mg/dm3以下のMOAHの移動を有する、紙製品。
【請求項１２】
紙繊維と鉱物油とを含み、0.2 mg/dm3以下のMOSHの移動及び／又は0.1 mg/dm3以下のMOAHの移動を有する、請求項11に記載の紙製品。
【請求項１３】
紙繊維と鉱物油とを含む紙製品であって、C16〜C25について0.5 mg/dm3以下のMOSHの移動を有する、請求項11に記載の紙製品。
【請求項１４】
紙繊維と鉱物油とを含み、C16〜C25について0.2 mg/dm3以下のMOSHの移動を有する、請求項13に記載の紙製品。
【請求項１５】
紙繊維と鉱物油とを含み、C16〜C25について0.001 mg/dm3〜0.15 mg/dm3のMOSHの移動を有する、請求項13に記載の紙製品。
【手続補正書】
【提出日】平成28年9月5日(2016.9.5)
【手続補正１】
【補正対象書類名】特許請求の範囲
【補正対象項目名】全文
【補正方法】変更
【補正の内容】
【特許請求の範囲】
【請求項１】
(a)少なくとも1種のラテックス皮膜形成剤、
(b)(i)約1ミクロン以上であり約60ミクロンまでの範囲の粒径を有する固形ワックス粒子、
(ii)a.少なくとも1種の非イオン性界面活性剤、及び
b.少なくとも1種のイオン性界面活性剤、
を含む界面活性剤混合物、並びに
(iii)水、
を含むワックス分散液、並びに
(c)任意選択で、少なくとも1種の熱可逆性ゲル化ポリマー、
を含むマスカラ組成物。
【請求項２】
少なくとも1種のワックスが、蜜蝋、水素化ミリスチルオリーブエステル、水素化ステアリルオリーブエステル、VP/エイコセンコポリマー、テトラステアリン酸ジトリメチロールプロパン、及びシルセスキオキサン樹脂ワックスから選択される、請求項1に記載のマスカラ組成物。
【請求項３】
固形ワックス粒子が、ワックス分散液の総質量に対して、約20質量%から約45質量%の量で存在する、請求項1に記載のマスカラ組成物。
【請求項４】
少なくとも1種のラテックス皮膜形成剤が、マスカラ組成物の少なくとも約10質量%の量で存在する、請求項1に記載のマスカラ組成物。
【請求項５】
少なくとも1種の非イオン性界面活性剤が、少なくとも5のHLBを有し、グリセリルエステルのポリエチレングリコールエーテル、ソルビタンエステル、及びそれらの混合物から選択される、請求項1に記載のマスカラ組成物。
【請求項６】
イオン性界面活性剤が、カチオン性界面活性剤及びアニオン性界面活性剤から選択される少なくとも1種の界面活性剤を含む、請求項1に記載のマスカラ組成物。
【請求項７】
少なくとも1種の熱可逆性ゲル化ポリマーが、ビスメトキシPEG-13 PEG-438/PPG-110 SMDIコポリマーから選択される、請求項1に記載のマスカラ組成物。
【請求項８】
少なくとも1種の熱可逆性ゲル化ポリマーの固形分が、マスカラ組成物の約3質量%までの量で存在する、請求項1に記載のマスカラ組成物。
【請求項９】
少なくとも1種のラテックス皮膜形成剤を含む組成物の除去性を増加させる方法であって、
組成物中に
(a)(i)1ミクロン以上であり約60ミクロンまでの範囲の粒径を有する固形ワックス粒子、
(ii)a.少なくとも1種の非イオン性界面活性剤、及び
b.少なくとも1種のイオン性界面活性剤、
を含む界面活性剤混合物、並びに
(iii)水、
を含むワックス分散液、並びに
(b)任意選択で、少なくとも1種の熱可逆性ゲル化ポリマー、
を組み込むことを含む、方法。
【請求項１０】
ケラチン繊維のボリュームを増加させる方法であって、
前記ケラチン繊維に、
(a)少なくとも1種のラテックス皮膜形成剤、
(b)(i)1ミクロン以上であり約60ミクロンまでの範囲の粒径を有する固形ワックス粒子、
(ii)a.少なくとも1種の非イオン性界面活性剤、及び
b.少なくとも1種のイオン性界面活性剤、
を含む界面活性剤混合物、並びに
(iii)水、
を含むワックス分散液、並びに
(c)任意選択で、少なくとも1種の熱可逆性ゲル化ポリマー、
を含む組成物を適用する工程を含む、方法。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
第VII因子ポリペプチド及びヘパロサンポリマーを含む、コンジュゲート。
【請求項２】
前記ポリマーが、13〜65kDa、13〜55kDa、25〜55kDa、25〜50kDa、25〜45kDa、30〜45kDa及び38〜42kDaから選択される範囲のサイズを有する、請求項1に記載のコンジュゲート。
【請求項３】
前記ポリマーが、30〜50kDa、35〜65kDa、35〜45kDa、45〜55kDa、40〜60kDa及び55〜65kDaから選択される範囲のサイズを有する、請求項1に記載のコンジュゲート。
【請求項４】
前記ポリマーが、38kDa、39kDa、40kDa、41kDa及び42kDaから選択される分子量を有する、請求項1から3のいずれか一項に記載のコンジュゲート。
【請求項５】
前記ポリマーが、1.10、1.09、1.08、1.07、1.06、1.05、1.04又は1.03未満の多分散性指数(Mw/Mn)を有する、請求項1から4のいずれか一項に記載のコンジュゲート。
【請求項６】
前記ポリマーが、N-グリカンを介して第VII因子ポリペプチドに結合する、請求項1から5のいずれか一項に記載のコンジュゲート。
【請求項７】
前記第VII因子ポリペプチドが、遊離システインを有する変異第VII因子ポリペプチドであり、前記ヘパロサンポリマーが前記システインに結合する、請求項1から5のいずれか一項に記載のコンジュゲート。
【請求項８】
(a)ヘパロサンポリマーにコンジュゲートしていない同じ第VII因子ポリペプチドと比較して増加した循環半減期、
(b)ヘパロサンポリマーにコンジュゲートしていない同じ第VII因子ポリペプチドと比較して増加した機能的半減期、
(c)ヘパロサンポリマーにコンジュゲートしていない同じ第VII因子ポリペプチドと比較して増加した平均滞留時間、及び/又は
(d)ヘポロサンポリマーにコンジュゲートしていない同じ第VII因子ポリペプチドと比較して増加した機能的平均滞留時間
を有する、請求項1から7のいずれか一項に記載のコンジュゲート。
【請求項９】
前記第VII因子ポリペプチドが、第VIIa因子ポリペプチドである、請求項1から8のいずれか一項に記載のコンジュゲート。
【請求項１０】
前記第VII因子ポリペプチドのアミノ酸配列が、1つ又は複数のアミノ酸の挿入、欠失及び/又は置換によって野生型第VII因子の配列と異なる、請求項1から9のいずれか一項に記載のコンジュゲート。
【請求項１１】
前記第VII因子ポリペプチドのアミノ酸配列が、1つ、2つ又は3つのアミノ酸置換によって野生型第VII因子の配列と異なる、請求項10に記載のコンジュゲート。
【請求項１２】
前記第VII因子ポリペプチドが、ヒト野生型第VIIa因子である、請求項1から6及び8から9のいずれか一項に記載のコンジュゲート。
【請求項１３】
請求項1から12のいずれか一項に定義された第VII因子ポリペプチド及びヘパロサンポリマーを含む、コンジュゲートを調製する方法。
【請求項１４】
請求項1から12のいずれか一項に記載のコンジュゲート又は請求項13に記載の方法で調製されたコンジュゲート、及び薬学的に許容可能な担体又は賦形剤を含む、医薬組成物。
【請求項１５】
出血性障害を治療又は予防する方法に使用するための請求項1から12のいずれか一項に記載のコンジュゲート又は請求項14に記載の組成物。
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
少なくとも１つのミニ錠剤を含む医薬組成物であって、
前記ミニ錠剤は、
ピロカルピン、またはその薬学的に許容可能な塩を含むコアと、
ヒドロキシプロピルセルロースおよびエチルセルロースを含むコーティング層と
を含み、前記コーティング層は前記コーティング層の塗布前の前記ミニ錠剤の重量と比べて前記ミニ錠剤の重量を約１０％から約２５％増加させる量で存在し、
前記ヒドロキシプロピルセルロースおよびエチルセルロースは、
前記ミニ錠剤が、０．１ＮのＨＣｌ中に２時間以下浸されたとき、ピロカルピン、またはその薬学的に許容可能な塩の初期量の２０％以下を放出し、
前記ミニ錠剤が、０．１ＮのＨＣｌ中に４時間以上浸されたとき、ピロカルピンまたはその薬学的に許容可能な塩の初期量の７５％以上を放出するように
前記コーティング層中に配合される、医薬組成物。
【請求項２】
前記コアが、最終的に製剤化されたミニ錠剤の総重量の約７０％〜約９９％を含む、請求項１に記載の医薬組成物。
【請求項３】
前記コアが、セルロースまたは微結晶性セルロースから選択される流動床を含む、請求項１に記載の医薬組成物。
【請求項４】
前記コアが、無機塩、崩壊剤および潤滑剤からなる群から選択される成分をさらに含む、請求項１に記載の医薬組成物。
【請求項５】
前記コアが無機塩を含み、前記無機塩が、塩化リチウム、臭化リチウム、ヨウ化リチウム、塩化ナトリウム、臭化ナトリウム、ヨウ化ナトリウム、塩化カリウム、臭化カリウムおよびヨウ化カリウムからなる群から選択される、請求項４に記載の医薬組成物。
【請求項６】
前記コアが崩壊剤を含み、前記崩壊剤が、加工デンプンまたは架橋ポリビニルピロリドン（クロスポビドン）および架橋カルボキシメチルセルロースナトリウム（クロスカルメロースナトリウム）からなる群から選択される架橋ポリマーである、請求項４に記載の医薬組成物。
【請求項７】
前記コアが潤滑剤を含み、前記潤滑剤が、タルクおよびシリカからなる群から選択される無機物であるか、または前記潤滑剤が、植物性ステアリン、ステアリン酸マグネシウム、ステアリン酸および誘導体化ステアリン酸からなる群から選択される脂肪である、請求項４に記載の医薬組成物。
【請求項８】
前記ピロカルピンまたはその薬学的に許容可能な塩が、前記コアの約０．１重量％〜約５重量％で前記コアに存在する、請求項１に記載の医薬組成物。
【請求項９】
前記流動床が、前記コアの約４０重量％〜約７５重量％で存在する、請求項３に記載の医薬組成物。
【請求項１０】
前記崩壊剤が、前記コアの約５重量％〜約３５重量％で存在する、請求項４に記載の医薬組成物。
【請求項１１】
前記塩が、前記コアの約１０重量％〜約５０重量％で存在する、請求項４に記載の医薬組成物。
【請求項１２】
前記潤滑剤が、前記コアの約０．２重量％〜約２重量％で存在する、請求項４に記載の医薬組成物。
【請求項１３】
前記コーティングが、潤滑剤もしくは可塑剤またはそれらの組み合わせから選択される成分をさらに含む、請求項１に記載の医薬組成物。
【請求項１４】
前記コーティングが潤滑剤を含み、前記潤滑剤が、タルクまたはシリカから選択される無機物であり、前記コーティングの約１重量％〜約２０重量％、約５重量％〜約１７重量％、または約１０重量％〜約１６重量％で存在する、請求項１３に記載の医薬組成物。
【請求項１５】
前記コーティングが可塑剤を含み、前記可塑剤が、フタル酸系可塑剤、トリメリテート、アジピン酸系可塑剤、セバシン酸系可塑剤、有機リン酸塩、マレイン酸塩、スルホンアミド、グリコールまたはポリエーテル、アセチル化モノグリセリドおよびクエン酸アルキルからなる群から選択され、前記コーティングの約１重量％〜約２０重量％、約５重量％〜約１５重量％、または約７重量％〜約１０重量％で存在する、請求項１３に記載の医薬組成物。
【請求項１６】
前記組成物が、被験体に対して０．５〜５０ｍｇのピロカルピンまたはその薬学的に許容可能な塩についての単一の投与可能な用量を提供するのに十分な数のミニ錠剤を含む、請求項１に記載の医薬組成物。
【請求項１７】
前記ピロカルピンまたはその薬学的に許容可能な塩の前記単一の投与可能な用量が、０．０５ｍｇ、０．１ｍｇ、０．２ｍｇ、０．４ｍｇ、０．５ｍｇ、１ｍｇ、２ｍｇ、３ｍｇ、４ｍｇ、５ｍｇ、６ｍｇ、７ｍｇ、７．５ｍｇ、８ｍｇ、１０ｍｇ、１２ｍｇ、１５ｍｇ、３０ｍｇおよび６０ｍｇからなる群から選択される、請求項１６に記載の医薬組成物。
【請求項１８】
ヒドロキシプロピルセルロース対エチルセルロースの重量比が約５：１〜約１：１である、請求項１に記載の医薬組成物。
【請求項１９】
ヒドロキシプロピルセルロース対エチルセルロースの重量比が約４：１である、請求項１８に記載の医薬組成物。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
【化１】
2015533176.tif 000001
【化２】
2015533176.tif 000002
【化３】
2015533176.tif 000003
およびその医薬として許容される塩からなる群より選択される化合物。
【請求項２】
【化４】
2015533176.tif 000004
またはその医薬として許容される塩である、請求項１記載の化合物。
【請求項３】
【化５】
2015533176.tif 000005
である、請求項１記載の化合物。
【請求項４】
【化６】
2015533176.tif 000006
またはその医薬として許容される塩である、請求項１記載の化合物。
【請求項５】
【化７】
2015533176.tif 000007
である、請求項１記載の化合物。
【請求項６】
【化８】
2015533176.tif 000008
またはその医薬として許容される塩である、請求項１記載の化合物。
【請求項７】
【化９】
2015533176.tif 000009
である、請求項１記載の化合物。
【請求項８】
請求項１〜７のいずれかに記載の化合物および医薬として許容される担体を含む医薬組成物。
【請求項９】
治療有効量の請求項１〜７のいずれかに記載の化合物を含む、ＥＺＨ２介在性障害を治療するための組成物。
【請求項１０】
前記ＥＺＨ２介在性障害がガンである、請求項９に記載の組成物。
【請求項１１】
前記ガンがリンパ腫、白血病または黒色腫である、請求項１０に記載の組成物。
【請求項１２】
前記ガンが、びまん性大細胞型Ｂ細胞リンパ腫（ＤＬＢＣＬ）、非ホジキンリンパ腫（ＮＨＬ）、濾胞性リンパ腫、慢性骨髄性白血病（ＣＭＬ）、急性骨髄性白血病、急性リンパ性白血病、混合系統白血病、または骨髄異形成症候群（ＭＤＳ）である、請求項１０に記載の組成物。
【請求項１３】
前記ガンが悪性ラブドイド腫瘍またはＩＮＩ１欠損腫瘍である、請求項１０に記載の組成物。
【請求項１４】
ＥＺＨ２介在性障害を治療するための方法で使用するための請求項１〜７のいずれかに記載の化合物。
【請求項１５】
ＥＺＨ２介在性障害の治療における薬剤の製造のための請求項１〜７のいずれかに記載の化合物の使用。
【請求項１６】
ＥＺＨ２介在性障害を治療するための医薬組成物であって、請求項１〜７のいずれかに記載の化合物を主成分として含む、医薬組成物。
【手続補正２】
【補正対象書類名】明細書
【補正対象項目名】００２１
【補正方法】変更
【補正の内容】
【００２１】
ある実施形態において、本明細書中で開示される好ましい化合物は、望ましい薬理学的
および／または薬物速度論的特性、例えば、低クリアランス率および／または例えばシト
クロムＰ−４５０酵素の時間に依存し、かつ可逆的な阻害によって評価される併用療法に
おける有害な薬物相互作用の限定的なリスクを有する。
本発明の実施形態において、例えば以下の項目が提供される。
（項目１）
【化１】
2015533176.tif 000010
【化２】
2015533176.tif 000011
【化３】
2015533176.tif 000012
およびその医薬として許容される塩から選択される化合物。
（項目２）
【化４】
2015533176.tif 000013
またはその医薬として許容される塩である、項目１記載の化合物。
（項目３）
【化５】
2015533176.tif 000014
である、項目１記載の化合物。
（項目４）
【化６】
2015533176.tif 000015
またはその医薬として許容される塩である、項目１記載の化合物。
（項目５）
【化７】
2015533176.tif 000016
である、項目１記載の化合物。
（項目６）
【化８】
2015533176.tif 000017
またはその医薬として許容される塩である、項目１記載の化合物。
（項目７）
【化９】
2015533176.tif 000018
である、項目１記載の化合物。
（項目８）
項目１〜７のいずれかに記載の化合物および医薬として許容される担体を含む医薬組
成物。
（項目９）
治療を必要とする対象に治療有効量の項目１〜７のいずれかに記載の化合物を投与す
ることを含む、ＥＺＨ２介在性障害を治療する方法。
（項目１０）
前記ＥＺＨ２介在性障害がガンである、項目９に記載の方法。
（項目１１）
前記ガンがリンパ腫、白血病または黒色腫である、項目１０に記載の方法。
（項目１２）
前記ガンが、びまん性大細胞型Ｂ細胞リンパ腫（ＤＬＢＣＬ）、非ホジキンリンパ腫（
ＮＨＬ）、濾胞性リンパ腫、慢性骨髄性白血病（ＣＭＬ）、急性骨髄性白血病、急性リン
パ性白血病、混合系統白血病、または骨髄異形成症候群（ＭＤＳ）である、項目１０に
記載の方法。
（項目１３）
前記ガンが悪性ラブドイド腫瘍またはＩＮＩ１欠損腫瘍である、項目１０に記載の方
法。
（項目１４）
ＥＺＨ２介在性障害を治療するための方法で使用するための項目１〜７のいずれかに
記載の化合物。
（項目１５）
ＥＺＨ２介在性障害の前記治療における薬剤の製造のための項目１〜７のいずれかに
記載の化合物の使用。
（項目１６）
ＥＺＨ２介在性障害を治療するための医薬組成物であって、項目１〜７のいずれかに
記載の化合物を主成分として含む、医薬組成物。
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
ケミカルメカニカルパルプ化プロセスであって、このプロセスは、
リグノセルロース系材料を繊維化装置に供給すること；
リグノセルロース系材料を繊維化して、繊維束を形成すること；
繊維束を希釈して、湿潤繊維束の凝集物を形成すること；
湿潤繊維束の凝集物を第１の所定の時間だけ貯留すること；
アルカリ性の過酸化物化合物及び過酸化物安定化剤を湿潤繊維束の凝集物に添加し、それによってアルカリ性過酸化物で処理された湿潤繊維束の凝集物を形成すること；及び
アルカリ性過酸化物で処理された湿潤繊維束の凝集物を第２の所定の時間だけ貯留塔において貯留すること
を含み、
リグノセルロース系材料が繊維化の前に化学的に含浸されないこと、及び繊維束を形成することと、アルカリ性過酸化物で処理された湿潤繊維束の凝集物を第２の所定の時間だけ貯留塔において貯留することとの間でリファイナーが使用されないことを特徴とするプロセス。
【請求項２】
リグノセルロース系材料を繊維化装置に供給する前に、未処理のリグノセルロース系材料を洗浄及び脱水することをさらに含む請求項１に記載のケミカルメカニカルパルプ化プロセス。
【請求項３】
湿潤繊維束の凝集物が約１％〜約３０％の固形分濃度を有する請求項１に記載のケミカルメカニカルパルプ化プロセス。
【請求項４】
湿潤繊維束の凝集物の滞留時間が約１分〜約２０分であり、
湿潤繊維束の凝集物が槽において貯留される請求項１に記載のケミカルメカニカルパルプ化プロセス。
【請求項５】
アルカリ性の過酸化物化合物が、アルカリ性化合物をリグノセルロース系材料の炉乾燥重量に基づいて、約１％〜約１０％の範囲で含む請求項１に記載のケミカルメカニカルパルプ化プロセス。
【請求項６】
アルカリ性化合物が、水酸化ナトリウム、炭酸ナトリウム、酸化マグネシウム、水酸化マグネシウム、白液、緑液、又はこれらの組み合わせの少なくとも１つを含む請求項１に記載のケミカルメカニカルパルプ化プロセス。
【請求項７】
貯留後であってアルカリ性の過酸化物化合物の添加の前に、湿潤繊維束の凝集物を洗浄及び脱水することをさらに含む請求項４に記載のケミカルメカニカルパルプ化プロセス。
【請求項８】
低コンシステンシーリファイニング、
中コンシステンシーリファイニング、
高コンシステンシーリファイニング、
低コンシステンシーリファイニング及び高コンシステンシーリファイニング、
低コンシステンシーリファイニング及び中コンシステンシーリファイニング、及び
中コンシステンシーリファイニング及び高コンシステンシーリファイニングからなる群から選ばれるリファイニング工程をさらに含み、
該リファイニング工程の後に、スクリーニング、拒絶物処理、パルプ増粘化及び後漂白が続く請求項１に記載のケミカルメカニカルパルプ化プロセス。
【請求項９】
後漂白が、中漂白コンシステンシーのための複数の漂白工程、高漂白コンシステンシーのための複数の漂白工程、及びこれらの組み合わせからなる群から選ばれる請求項８に記載のケミカルメカニカルパルプ化システム。
【請求項１０】
リグノセルロース系材料が繊維化装置に入る前に、リグノセルロース系材料を水蒸気処理することをさらに含む請求項１に記載のケミカルメカニカルパルプ化プロセス。
【請求項１１】
リグノセルロース系材料が繊維化装置に入る前に、緩衝槽においてリグノセルロース系材料を貯留することをさらに含む請求項１に記載のケミカルメカニカルパルプ化プロセス。
【請求項１２】
第２のアルカリ性処理プロセスを受けることをさらに含み、
該第２のアルカリ性処理プロセスは、アルカリ性過酸化物で処理された湿潤繊維束の凝集物に第２のアルカリ性の過酸化物化合物及び過酸化物安定化剤を添加することを含み、
該第２のアルカリ性の過酸化物化合物及び過酸化物安定化剤は、アルカリ性過酸化物で処理された湿潤繊維束の凝集物を貯留塔において貯留した後に添加され、
該アルカリ性過酸化物で処理された湿潤繊維束の凝集物と第２のアルカリ性の過酸化物化合物及び過酸化物安定化剤とを第３の所定の時間だけ第２の貯留塔において貯留することをさらに含む請求項１に記載のケミカルメカニカルパルプ化プロセス。
【請求項１３】
湿潤繊維束の凝集物が、約４％〜約１８％の間の固形分濃度を有する請求項１に記載のケミカルメカニカルパルプ化プロセス。
【請求項１４】
湿潤繊維束の凝集物の滞留時間が、該湿潤繊維束の凝集物が槽において貯留される場合に、約３分〜約１６分の間である請求項１に記載のケミカルメカニカルパルプ化プロセス。
【請求項１５】
アルカリ性の過酸化物化合物が、アルカリ性化合物を、リグノセルロース系材料の炉乾燥重量に基づいて、約２％〜約８％の範囲で含む請求項１に記載のケミカルメカニカルパルプ化プロセス。
【請求項１６】
湿潤繊維束の凝集物の滞留時間が、該湿潤繊維束の凝集物が搬送パイプにおいて貯留される場合に、約１分〜約２０分の間である請求項１に記載のケミカルメカニカルパルプ化プロセス。
【請求項１７】
湿潤繊維束の凝集物の滞留時間が、該湿潤繊維束の凝集物が搬送パイプにおいて貯留される場合に、約３分〜約１６分の間である請求項１に記載のケミカルメカニカルパルプ化プロセス。